(57)【要約】      （修正有）【課題】姿勢を安定させた状態で手荷物タグ等の記録媒体を集積部に集積できる発券処理装置を提供する。【解決手段】発券処理装置１０は、供給部から繰り出された連続媒体を切断して記録媒体とする切断部１４と、記録媒体を排出する排出口５ａを有する排出部と、排出口の下方に設けられ、排出口からの記録媒体を集積する集積部６と、を備える。集積部は、互いの間に記録媒体を保持するように対向する排出口に遠い第１の案内部材６１及び第１の案内部材よりも排出口に近い第２の案内部材６２を有する。排出口の周囲には、記録媒体に接触して第２の案内部材側に記録媒体を誘導する誘導部材ＹＢが設けられている。【選択図】図５
2019091192.tif 000002
【特許請求の範囲】
【請求項１】
連続媒体を供給する供給部と、
前記供給部から繰り出された連続媒体を切断して記録媒体とする切断部と、
前記記録媒体を排出する排出口を有する排出部と、
前記排出口の下方に設けられ、前記排出口からの前記記録媒体を集積する集積部と、を備える発券処理装置であって、
前記集積部は、互いの間に前記記録媒体を保持するように対向する前記排出口に遠い第１の案内部材及び前記第１の案内部材よりも前記排出口に近い第２の案内部材を有し、
前記排出口の周囲には、前記記録媒体に接触して前記第２の案内部材側に前記記録媒体を誘導する誘導部材が設けられていることを特徴とする発券処理装置。
【請求項２】
前記第１の案内部材は、下方に向けて前記排出口側に傾斜する傾斜面形状を有することを特徴とする請求項１に記載の発券処理装置。
【請求項３】
前記第１の案内部材は、前記傾斜面形状の下方に、前記傾斜面形状の下端と前記第２の案内部材との間の第１の間隔よりも大なる第２の間隔を画定する拡大部を有し、さらに、前記拡大部に設けられた開口を有することを特徴とする請求項２に記載の発券処理装置。
【請求項４】
前記集積部は、前記第１の案内部材の前記拡大部に面して平行に伸長する水平シャフトを備えることを特徴とする請求項３に記載の発券処理装置。
【請求項５】
前記水平シャフトは、前記記録媒体の後端部が前記誘導部材に接触している際に、前記記録媒体の前端部が接触する位置に配置されていることを特徴とする請求項４に記載の発券処理装置。
【請求項６】
前記水平シャフトは上下に可動自在に前記集積部に設けられていることを特徴とする請求項４又は５に記載の発券処理装置。
【請求項７】
前記誘導部材は、前記記録媒体が排出される方向を横切る方向に前記記録媒体を押圧する可撓性板体又は可動性板体であることを特徴とする請求項１乃至６のいずれか一項に記載の発券処理装置。
【請求項８】
前記誘導部材は、切断の際に前記記録媒体の後端部が前記排出口に残るように前記記録媒体の後端部を保持するように構成されていることを特徴とする請求項１乃至７のいずれか一項に記載の発券処理装置。
【請求項９】
前記誘導部材は、切断の後に、後続する前記連続媒体の前端が前記記録媒体の後端部の裏面に接するように構成されていることを特徴とする請求項１乃至８のいずれか一項に記載の発券処理装置。
【発明の詳細な説明】
【技術分野】
【０００１】
本発明は、１枚の券長が長い券類の処理や集積を要する発券処理装置に関する。
【背景技術】
【０００２】
空港等に設置され、旅客から受託した航空手荷物の仕分け用に取り付けられる手荷物タグを発行する発券処理装置が知られている。空港自動チェックイン機は、ロール紙に印字機構で印字し、印字したロール紙を所定長で切断して手荷物タグを作成し、手荷物タグを排出口から排出し、スタッカに集積するものがある（特許文献１）。
【先行技術文献】
【特許文献】
【０００３】
【特許文献１】特開２０１７−１４４６４７号公報
【発明の概要】
【発明が解決しようとする課題】
【０００４】
しかしながら、従来の技術においては、排出された手荷物タグを集積部に集積する際、手荷物タグが集積部の中で屈曲し突っ張って後続の手荷物タグが詰まり集積部内へ入らないことがあったり、姿勢を安定させた状態で複数の手荷物タグを集積部に集積できない場合があるという問題があった。
【０００５】
したがって、本発明は、このような問題を解決することを課題とし、姿勢を安定させた状態で手荷物タグ等の記録媒体を集積部に集積できる発券処理装置を提供することを目的とする。
【課題を解決するための手段】
【０００６】
本発明は、連続媒体を供給する供給部と、
前記供給部から繰り出された連続媒体を切断して記録媒体とする切断部と、
前記記録媒体を排出する排出口を有する排出部と、
前記排出口の下方に設けられ、前記排出口からの前記記録媒体を集積する集積部と、を備える発券処理装置であって、
前記集積部は、互いの間に前記記録媒体を保持するように対向する前記排出口に遠い第１の案内部材及び前記第１の案内部材よりも前記排出口に近い第２の案内部材を有し、
前記排出口の周囲には、前記記録媒体に接触して前記第２の案内部材側に前記記録媒体を誘導する誘導部材が設けられていることを特徴とする。
【発明の効果】
【０００７】
このようにした本発明は、姿勢を安定させた状態で複数の記録媒体を片寄らして集積部に集積できるという効果が得られる。
【図面の簡単な説明】
【０００８】
【図１】第１の実施例における空港自動チェックイン機の外観を示す正面図（図１（ａ））及び右側面図（図１（ｂ））である。
【図２】第１の実施例における空港自動チェックイン機から出力された手荷物タグの上面図である。
【図３】第１の実施例における手荷物タグロール紙の説明図である。
【図４】第１の実施例における空港自動チェックイン機の手荷物タグプリンタ及びスタッカの構成を示す概略拡大部分側断面図である。
【図５】第１の実施例における空港自動チェックイン機の手荷物タグプリンタの一部及びスタッカの構成を概略的に示す拡大部分側断面図である。
【図６】第１の実施例における手荷物タグの集積動作の説明図である。
【図７】第２の実施例における空港自動チェックイン機の手荷物タグプリンタの一部及びスタッカの構成を概略的に示す拡大部分側断面図である。
【発明を実施するための形態】
【０００９】
以下、図面を参照しつつ本発明による実施例の発券処理装置の一例として空港自動チェックイン機について説明する。なお、実施例において、実質的に同一の機能及び構成を有する構成要素については、同一の符号を付することにより重複説明を省略する。
【実施例１】
【００１０】
図１は第１の実施例の空港自動チェックイン機の外観を示す正面図（図１（ａ））及び右側面図（図１（ｂ））である。
【００１１】
図１において、空港自動チェックイン機（以降、装置ともいう）１０は、例えば空港等に設置される多機能端末装置であり、空港での搭乗手続きや座席指定等を行うと共に、利用者の操作を受け付けて手荷物タグを発行する。本実施例では、装置１０は、空港利用者の手荷物のハンドル等に巻き付ける手荷物タグを発券する場合のみを説明する。
【００１２】
装置１０は、その前面に、タッチパネル１と、タッチパネルの下の操作台部２における磁気カードリーダ３及び非接触ＩＣカードリーダ４と、操作台部の下の手荷物タグプリンタ（以降、プリンタともいう）５及びスタッカ６とが備えている。操作台部２には他のインターフェイス装置も備えるが説明を省略する。
【００１３】
タッチパネル１は、装置１０の前面（利用者と対面する操作面）に配設され、利用者の操作を受け付ける。タッチパネル１は、液晶ディスプレイ等の表示部と、利用者の入力を受け付ける入力部とから構成され、顧客の操作を誘導する情報を表示部に表示し、また表示部に表示した誘導に従った利用者の操作を受け付ける。
【００１４】
磁気カードリーダ３は、利用者による磁気ストライプ付カードの挿入を受け付け、磁気ストライプに対して各種情報の読取りや書き込みを行う。
【００１５】
非接触ＩＣカードリーダ４は、利用者によって近接した非接触ＩＣカードとの間で無線通信を行い、非接触ＩＣカードに対して各種情報の読取りや書き込みを行う。
【００１６】
プリンタ５は、ロール状に巻かれた手荷物タグロール紙（以降、ロール紙ともいう）１１Ｒに各種情報に応じた文字や画像を印刷し、印刷したロール紙１１Ｒを所定の長さで手荷物タグ（記録媒体）２０として切断して、装置の前面に設けられた排出口５ａから手荷物タグ２０を装置外へ排出する。
【００１７】
スタッカ６（集積部）は、装置の前面の排出口５ａの下方に設けられ、プリンタ５で印刷及び切断されて排出口５ａから排出された手荷物タグ２０を上下（垂直）方向から利用者側に少し傾斜させて集積する。
【００１８】
このように構成された装置１０は、図示しないＣＰＵ等により構成された制御部を有し、その制御部がメモリ等の記憶部に記憶された制御プログラム（ソフトウエア）に基づいて装置全体の動作を制御する。
【００１９】
本実施例の装置１０は、利用者がタッチパネル１に表示された案内に従いタッチパネル操作を行うことで利用者の操作を受け付け、磁気カードリーダ３又は非接触ＩＣカードリーダ４等から各種情報を読み取る。装置１０は、その各種情報に基づいて、供給されるロール紙１１Ｒ上にプリンタ５で印刷しながらロール紙１１Ｒの搬送を行い、その後切断して図２のような１枚の手荷物タグ２０を発券する。排出された細長い手荷物タグ２０はスタッカ６に集積される。利用者は、スタッカ６に集積された手荷物タグ２０を取り出し、受け取る。
【００２０】
図２は装置１０から出力された１枚の手荷物タグの上面図である。図２に示すように、印刷されたロール紙１１Ｒが所定の長さに切断された１枚の手荷物タグ２０は、台紙２２と、台紙２２に貼付されたタグシール２３ａ、２３ｂ、２３ｃとにより構成されている。さらに、台紙２２には、タグシール２３ａ、２３ｂ、２３ｃを台紙２２から剥がすためのハーフスリット部２４が形成されている。
【００２１】
タグシール２３ａ、２３ｂ、２３ｃの表面は、印字ヘッド部１３により印刷される感熱表面２１が形成されている。なお、本実施例では、タグシールを大きく３つの領域に分割された場合を説明するが、２つ以下、又は４つ以上の領域に分割されたタグシールであってもよい。
【００２２】
手荷物タグ２０が排出される搬送方向側の切断辺を前端部ＦＥとし、その反対側の切断辺を後端部ＢＥとして説明する。
【００２３】
また、本実施例の手荷物タグ２０は、図中矢印Ａが示す搬送方向の長さが約５００ｍｍ、搬送方向と直交する方向の幅が約５４ｍｍである。なお、手荷物タグ２０は、前述の大きさに限られず、搬送方向に延びる長尺状の短冊であればよい。
【００２４】
図３はロール紙１１Ｒを説明する斜視図である。図に示すように、ロール紙１１Ｒは、台紙２２に貼付されたタグシール２３ａ等の印刷面である感熱表面２１を外側にして巻回された円柱体として装置の供給部１１に装填される。
【００２５】
図４は装置１０におけるロール紙の供給部１１、プリンタ５及びスタッカ６の構成を説明するための説明図である。図４は図１（ｂ）の破線ＢＬで囲まれた部分の概略拡大部分側断面図である。
【００２６】
プリンタ５は、供給部１１から供給されるロール紙１１Ｒを搬送して、その印刷面に文字や画像を印刷し、印刷したロール紙１１Ｒを所定の長さで切断して手荷物タグ２０として、これを排出口５ａから装置外へ排出する。
【００２７】
供給部１１は、連続するロール紙１１Ｒ（連続媒体）がロール状に巻回された状態のロール紙を回転可能に支持して収容する。ロール紙１１Ｒは、その印刷面を外側にして巻回され、図中矢印Ｂが示す方向に回転してプリンタ５へ供給される。したがって、ロール紙１１Ｒは、巻回されているため、印刷面が湾曲した外側になるようにしてプリンタ５へ供給される。
【００２８】
プリンタ５は、搬送ローラ対１２ａ、１２ｂと、印字ヘッド部１３と、切断部１４と有している。搬送ローラ対１２ａ、１２ｂは、供給部１１から供給されるロール紙１１Ｒを図中矢印Ａが示す搬送方向に搬送して印字ヘッド部１３及び切断部１４へ送り出す。なお、搬送ローラ対１２ｂは、搬送方向における搬送ローラ対１２ａの下流側に配置されている。
【００２９】
印字ヘッド部１３は、搬送方向における搬送ローラ対１２ｂの下流に配置され、搬送ローラ対１２ｂで送られたロール紙１１Ｒの印刷面に文字や画像を印刷する印刷機構であり、例えば感熱式の印刷機構である。
【００３０】
切断部１４は、供給部１１から繰り出されたロール紙１１Ｒを切断する。この切断部１４は、搬送方向における印字ヘッド部１３の下流であって、排出口５ａの上流に配置され、印字ヘッド部１３で印刷されたロール紙１１Ｒを搬送方向の所定の長さで切断する。切断部１４は、搬送方向と直交する方向に延びるカッターでロール紙１１Ｒの幅方向の全部を切断する。なお、搬送ローラ対１２ａ、１２ｂは、切断されるまでロール紙１１Ｒを搬送する故に手荷物タグ２０を排出する排出機能を担っている。
【００３１】
排出部の排出口５ａは、供給部１１の前面に形成された開口であり、切断部１４で切断された手荷物タグ２０を装置前方に排出する。したがって、切断部１４で切断された手荷物タグ２０は、排出口５ａから自由落下して装置外へと排出され、スタッカ６に集積される。
【００３２】
排出口５ａの周囲、例えば排出口５ａの上部には、手荷物タグ２０に接触して第２の案内部材６２側（第１の案内部材６１よりも排出口５ａに近い側）に手荷物タグ２０を誘導する誘導部材ＹＢが設けられている。誘導部材ＹＢは、手荷物タグ２０が排出される方向を横切る方向（下方）に手荷物タグ２０を押圧する可撓性板体又は可動性板体である。誘導部材ＹＢは、例えば樹脂フィルムから構成できる。
【００３３】
なお、プリンタ５は、搬送ローラ対１２ｂ、印字ヘッド部１３、切断部１４及び排出口５ａが図１に示す装置１０の前面から前方に突出するように配置されている。
【００３４】
スタッカ６は、排出口５ａの下方に配設され、排出口５ａから落下した手荷物タグを集積する。スタッカ６は、上部に手荷物タグが通過する開口部６ａが形成され、また底部６ｂ及び側面部材ＳＢにより閉塞された筒状の箱体である。このように、スタッカ６は、開口部６ａが排出口５ａの下方になるように配置され、発券された手荷物タグ２０が、上から利用者に取られる構造になっている。
【００３５】
次に、スタッカ６を図５のスタッカの構成を示す説明図に基づいて説明する。
【００３６】
図５は装置１０におけるプリンタ５の一部及びスタッカ６の構成を概略的に示す拡大部分側断面図である。図５は図１（ａ）のｘｘ線を切り取った装置１０の前面部分の概略拡大部分側断面図である。
【００３７】
また、スタッカ６には、第１の案内部材６１の上方であってプリンタ５の排出口５ａと対向するように配置された当接部材ＴＢが設けられている。当接部材ＴＢは、透明樹脂からなる板状部材である。または当接部材ＴＢは棒状の部材であってもよい。この当接部材ＴＢは、排出口５ａから排出されるロール紙１１Ｒの前端部ＦＥが当接することにより、ロール紙１１Ｒを下方のスタッカ６の開口部６ａに案内する。
【００３８】
図５において、スタッカ６は、互いの間に手荷物タグ２０を保持するように対向する排出口５ａに遠い第１の案内部材６１及び第１の案内部材６１よりも排出口５ａに近い第２の案内部材６２を有している。第１の案内部材６１及び第２の案内部材６２とこれらを繋ぐ対向する一対の側面部材ＳＢと底部６ｂとにより、筒状箱体のスタッカ６を構成している。
【００３９】
また、スタッカ６の下部の第１の案内部材６１にはスタッカ６内に誤って物を落としてしまった時のために落下物を取り出すための透明樹脂等からなる扉ＤＲ付きの開口ＫＡが設けられている。
【００４０】
さらに、スタッカ６は、その底部６ｂにおいて、一対の側面部材ＳＢの間に掛け渡された第１の案内部材６１の拡大部６１ｄに面して平行に伸長する水平シャフトＨＳを備える。水平シャフトＨＳは、手荷物タグ２０の後端部ＢＥが誘導部材ＹＢに接触している際に、手荷物タグ２０の前端部ＦＥが接触する位置に配置されている。さらに、水平シャフトＨＳは、手荷物タグ２０の前端部ＦＥのタグシール２３ａが接する程度の底部６ｂからの高さに配置されていてもよい。
【００４１】
第１の案内部材６１は、プリンタ５の排出口５ａと対向するように配置された板状の部材である。第１の案内部材６１は、排出口５ａから排出される手荷物タグ２０の湾曲方向と逆方向に突出する傾斜面形状６１ｃが形成されている。この第１の案内部材６１は、排出口５ａから排出される手荷物タグ２０を下方に案内する。すなわち、第１の案内部材６１案内部材６１は、下方に向けて排出口５ａ側に傾斜する傾斜面形状６１ｃを有する。
【００４２】
第２の案内部材６２は、その上部から下部へ延伸するように形成された平板状の部材であり、開口部６ａと底部６ｂとの問の全体にわたって連続するように（突起がないように）形成されている。第２の案内部材６２は、その下部が上部より装置１０の前面に接近するように配置されている。このように、第１の案内部材６１及び第２の案内部材６２は、それぞれ下部が上部より装置１０の前面に接近するように配置されている。
【００４３】
このように、スタッカ６の上部から下部に向かって、傾斜面形状６１ｃにおいて第１の案内部材６１と第２の案内部材６２との間隔が徐々に狭く、即ちスタッカ６の上方から下方になるに連れて第１の案内部材６１と第２の案内部材６２との間隔が狭くなるように形成されている。すなわち、スタッカ６は、第１の案内部材６１の傾斜面形状６１ｃの下方に、傾斜面形状６１ｃの下端と第２の案内部材６２との間の第１の間隔Ｋ１よりも大なる第２の間隔Ｋ２を画定する拡大部６１ｄを有している。
【００４４】
傾斜面形状６１ｃの下端は、手荷物タグ２０の前端部ＦＥがスタッカ６の底部６ｂに達した時に、底部６ｂから手荷物タグ２０のハーフスリット部２４が位置するような位置Ｐ１に設けられている。
【００４５】
図６に本発明での手荷物タグ２０の集積動作を説明する概略図を示す。
【００４６】
まず、図６（ａ）のように、１枚目の手荷物タグが発券されるとき、ロール紙１１Ｒは排出口５ａに設けた誘導部材ＹＢを押し退けて下向きに排出される。印刷されたロール紙１１Ｒの前端部ＦＥは排出口５ａから排出されてスタッカ６の開口部６ａに入り、ロール紙１１Ｒは感熱表面を外側に湾曲しながらスタッカ６の内部へと進入する。そのままロール紙１１Ｒは第１の案内部材６１及び第２の案内部材６２の間に案内される。
【００４７】
ここで、第１の案内部材６１の傾斜面形状６１ｃはロール紙１１Ｒの湾曲方向（突出する方向）とは逆に下方に向かって突出するように傾斜しているため、ロール紙１１Ｒの前端部ＦＥは、仮に接触したとしても、第１の案内部材６１の傾斜面形状６１ｃにて案内される。また、前端部ＦＥが第２の案内部材６２に仮に接触したとしても、オーバーハング状態の第２の案内部材６２の平坦面形状に沿って下方に案内される。
【００４８】
次に、図６（ｂ）に示すように、手荷物タグ２０の後端部ＢＥは、切断部１４により切断されたとき、手荷物タグ２０の後端部ＢＥは排出口５ａと誘導部材ＹＢに挟まれることで排出口５ａに残り、手荷物タグ２０の前端部ＦＥは水平シャフトＨＳに到達している。この状態（後端部ＢＥの切断時に前端部ＦＥが底部６ｂに接しない状態）になるように、底部６ｂの深さ位置を手荷物タグ２０の長さに合わせて設定することが好ましい。このように、誘導部材ＹＢは、手荷物タグ２０の後端部ＢＥが排出口５ａに残るように当該後端部ＢＥを保持するように構成されている。これにより、後端部ＢＥの切断時に、手荷物タグ２０の前端部ＦＥが底部６ｂへ衝突して屈曲することが避けることができる。さらに、誘導部材ＹＢは、切断の後に、後続するロール紙１１Ｒの前端が手荷物タグ２０の後端部ＢＥの裏面を押すようにも構成されている。これにより、後の手荷物タグと先の手荷物タグ２０との接触がスムーズになり、手荷物タグ２０が傾斜面形状６１ｃ寄りかかるようになる。
【００４９】
また、図６（ｃ）に示すように、切断によって手荷物タグ２０の後端部ＢＥが誘導部材ＹＢから自由になることにより、切断された手荷物タグ２０の後端部ＢＥが当接部材ＴＢに向かって反発して当接部材ＴＢ側に動く。よって、次に発券される手荷物タグ２０の進入のための開口部６ａの空間が広くなる。
【００５０】
次に、図６（ｄ）に示すように、次に発券される手荷物タグ２０ａは、手荷物タグ２０の上に乗り、手荷物タグ２０の裏面を沿うように発券されて集積する。また次の手荷物タグ２０ａが発券されるとき、これは先の手荷物タグ２０との摩擦により、徐々に下に動き誘導部材ＹＢから外れることでスタッカ６の底部６ｂまで落ちる。
【００５１】
図６（ｄ）に示すようにスタッカ６の底部６ｂまで落ちた手荷物タグ２０ａはハーフスリット部２４の下に広い空間（拡大部６１ｄ）があることにより、スタッカ６内で手荷物タグ２０ａが屈曲し突っ張ることなく第１の案内部材６１及び水平シャフトＨＳに寄りかかるように集積する。
【００５２】
以上のように第１の実施例によれば、発券された手荷物タグ２０の後端部ＢＥは誘導部材ＹＢにより排出口５ａで必ず抑えられるため、手荷物タグ２０の後端部ＢＥの位置がバラつかず常に同じ位置になる。これによって次に発券される手荷物タグ２０ａは手荷物タグ２０の上に集積される。また、スタッカ６の底部６ｂまで落ちた手荷物タグは第１の案内部材６１及び水平シャフトＨＳに寄りかかるように集積することにより、手荷物タグ２０の前端部ＦＥが屈曲することなく、手荷物タグ２０と第２の案内部材６２の間に隙間ができ、次に発券される手荷物タグ２０はスムーズに集積される。以上より発券した順番が入れ替わることなく手荷物タグ２０を複数枚集積することが可能となる。
【００５３】
なお、本実施例では、第１の案内部材６１及び第２の案内部材６２を板状の部材としたが、下方に延びる平行棒状の部材とし、搬送方向に複数配置するようにしてもよい。
【実施例２】
【００５４】
第２の実施例の構成は、スタッカの構成が第１の実施例の構成と異なっている以外、第１の実施例と同一である。よって、異なっている部分を説明するが、上述した第１の実施例と同様の部分は、同一の符号を付してその説明を省略する。
【００５５】
図７に示すように、本実施例の構成は、第１の案内部材６１と第２の案内部材６２とを繋ぐ対向する一対の側面部材ＳＢに対向する一対の長孔溝ＴＧを切り、水平シャフトＨＳの両端にそれぞれスプリングＳＰを設けることで手荷物タグ２０の前端部ＦＥを支える水平シャフトＨＳが上下に可動する構造となっている。
【００５６】
第２の実施例の動作においては、スタッカ６内の落下物を取り出すとき、図７に示すような長孔溝ＴＧの長さを越えるＣ寸法より大きい落下物がある場合でも、水平シャフトＨＳを下方に押し下げることで取り出すことが可能となる。第１の実施例において同様の落下物がある場合、固定された水平シャフトＨＳを乗り越えて落下物を取り出すこととなる。
【００５７】
以上のように第２の実施例によれば、手荷物タグ２０の排出口５ａに誘導部材ＹＢを設け、手荷物タグ２０のハーフスリット部２４の位置に合わせてＺ字に曲がった第１の案内部材６１と真っ直ぐな第２の案内部材６２を設け、スタッカ６内に手荷物タグ２０の前端部ＦＥの高さに合わせて水平シャフトＨＳを配置する構成において、水平シャフトＨＳを可動式にすることによって、第１の実施例よりも落下物が取り出し易い効果が得られる。
【００５８】
なお、第１の実施例及び第２の実施例では、チェックイン機等の手荷物タグ用のプリンタでの適用例を説明したが、それに限られることなく、１枚の券長が長い券類の集積を要する装置においても適用可能である。本発明では、ロール状に収容された帯体を排出する装置であればプリンタ装置、情報キオスク端末、自動取引装置等おいても適用可能である。
【００５９】
また、第１の実施例及び第２の実施例では、記録媒体を手荷物タグとして説明したが、それに限られることなく、ロール状に収容された記録媒体であればシールがなくてもよい。
【符号の説明】
【００６０】
１０…装置
２…操作台部
５…プリンタ
５ａ…排出口
６…スタッカ
６ａ…開口部
６ｂ…底部
６１ｃ…傾斜面形状
６１ｄ…拡大部
１１…供給部
１１Ｒ…ロール紙
１３…印字ヘッド部
１４…切断部
２０…手荷物タグ
２２…台紙
２３ａ、２３ｂ、２３ｃ…タグシール
２４…ハーフスリット部
６１…第１の案内部材
６２…第２の案内部材
ＳＢ…側面部材
ＴＧ…長孔溝
ＳＰ…スプリング
ＹＢ…誘導部材
ＨＳ…水平シャフト
【図１】
2019091192.tif 000003
【図２】
2019091192.tif 000004
【図３】
2019091192.tif 000005
【図４】
2019091192.tif 000006
【図５】
2019091192.tif 000007
【図６】
2019091192.tif 000008
【図７】
2019091192.tif 000009